(57)【特許請求の範囲】
【請求項１】
印判本体を嵌着した本体ホルダに印面を覆うスライドカバユニットを復帰ばねの付勢力によりスライド復帰自在とした印判であって、本体ホルダを外筒と内筒とからなるものとし、内筒内に略直筒状の印判本体を嵌着するとともに、外筒と複数の弾性係止片を形成した内筒との間隙に嵌着したスライドカバユニットを回動自在とし、このスライドカバユニットの回動によりスライドカバユニットと本体ホルダとを捺印スライド可能状態またはスライドロック状態に切換えるロック機構を設けたことを特徴とする印判。
【請求項２】
ロック機構が内筒の弾性係止片に設けられる外向き突起部と、スライドカバユニットの内鍔に形成される切欠とからなることを特徴とする請求項１に記載の印判。
【請求項３】
スライドカバユニットにシャッタ機構を組み込んだことを特徴とする請求項１または２に記載の印判。
【請求項４】
シャッタ機構に捺印可能状態と捺印不可状態を視認できる表示機構を持たせたことを特徴とする請求項３に記載の印判。
【請求項５】
表示機構がシャッタ機構の表示部と、本体ホルダの外筒の下端に形成された表示部ガイド切欠とからなることを特徴とする請求項４に記載の印判。
【発明の詳細な説明】
【技術分野】
【０００１】
本発明は携行時に便利なスリムタイプの印判に関するものである。
【背景技術】
【０００２】
印判として、シャッタを備えるとともにロック機構を設けて携行時において不用意に印判本体がスライドし印面が露呈して衣服を汚すことがないようにしたものがある（例えば、特許文献１参照）。
【０００３】
しかし、ロック機構やシャッタ機構を組み込むために太くなり、ポケットに入れて携行する場合、ポケットが膨らんでスーツと身体とが密着し難くなり、着心地が悪くなるうえに着こなしが悪くなるという問題がある。
【先行技術文献】
【特許文献】
【０００４】
【特許文献１】特開２００９−５６７１０号公報
【発明の概要】
【発明が解決しようとする課題】
【０００５】
本発明は、ポケットに入れても身体になじみ、着心地が悪くなることがないうえに、スーツの膨らみが目立たず着こなしが悪くならない印判を目的とするものである。
【課題を解決するための手段】
【０００６】
本発明は、印判本体を嵌着した本体ホルダに印面を覆うスライドカバユニットを復帰ばねの付勢力によりスライド復帰自在とした印判であって、本体ホルダを外筒と内筒とからなるものとし、内筒内に略直筒状の印判本体を嵌着するとともに、外筒と複数の弾性係止片を形成した内筒との間隙に嵌着したスライドカバユニットを回動自在とし、このスライドカバユニットの回動によりスライドカバユニットと本体ホルダとを捺印スライド可能状態またはスライドロック状態に切換えるロック機構を設けたことを特徴とする印判である。
【０００７】
なお、ロック機構が内筒の弾性係止片に設けられる外向き突起部と、スライドカバユニットの内鍔に形成される切欠とからなるものとしたり、スライドカバユニットにシャッタ機構を組み込んだものとしたり、シャッタ機構に捺印可能状態と捺印不可状態とを視認できる表示機構を持たせたものにしたり、表示機構をシャッタ機構の表示部と、本体ホルダの外筒の下端に形成された前記表示部嵌合切欠とからなるものとしたりすることが好ましい。
【発明の効果】
【０００８】
本発明は、印判本体を嵌着した本体ホルダに印面を覆うスライドカバユニットを復帰ばねの付勢力によりスライド復帰自在とした印判であって、本体ホルダを外筒と内筒とからなるものとし、内筒内に略直筒状の印判本体を嵌着するとともに、外筒と複数の弾性係止片を形成した内筒との間隙に嵌着されるスライドカバユニットを回動自在とし、回動によりスライドカバユニットと本体ホルダとを捺印可能状態または捺印不可状態とに切換えるロック機構を設けたことにより、携行に便利なスリムな印判とすることができる。また、印判本体を内筒内に嵌着することにより内筒の弾性係止片は弾性を失い強固な構造体となるので、印判本体を嵌着することによりスライドカバユニットと内筒は一体化されることとなる。
【０００９】
請求項２のように、ロック機構が内筒の弾性係止片に設けられる突起部と、スライドカバユニットの内鍔に形成される突起部通過切欠とからなるものとすることにより、突起部と突起部通過切欠とを一致または不一致にさせることにより、捺印可能状態または捺印不可状態への切換えが簡単なものとなる。
【００１０】
請求項３のように、スライドカバユニットにシャッタ機構を組み込むことにより、携行時、不用意にインキを衣服等に付着させることを的確に防止することができる。
【００１１】
請求項４のように、シャッタ機構に捺印可能状態と捺印不可状態を視認できる表示機構を持たせることにより、捺印が可能か不可かが一目瞭然となるうえに、ロックをしないでポケットに入れて携行して衣服を汚すトラブルを的確に防止できる。
【００１２】
請求項５のように、表示機構がシャッタ機構の表示部と、本体ホルダの外筒の下端に形成された前記表示部嵌合切欠とからなるものとすることにより、ロック機構が破損した場合でも、ロック状態を維持できるので、携行時、衣服にインキを付着させるトラブルを防止できる。
【図面の簡単な説明】
【００１３】
【図１】本発明の好ましい実施形態の捺印可能状態を示す正面図である。
【図２】同じく側面図である。
【図３】同じく平面図である。
【図４】同じく底面図である。
【図５】図３のＡ−Ａ断面図である。
【図６】図３のＢ−Ｂ断面図である。
【図７】図３のＣ−Ｃ断面図である。
【図８】捺印状態を示すＢ−Ｂ断面図である。
【図９】ロック状態を示す側面図である。
【図１０】捺印可能状態を示す一部切欠斜視図である。
【図１１】突起部と突起部通過切欠のアンロック状態を示す要部の斜視図である。
【図１２】同じく視点を変えた要部の切欠斜視図である。
【図１３】ロック状態を示す一部切欠斜視図である。
【図１４】同じく突起部が突起部通過切欠に係合された状態を示す要部の斜視図である。
【図１５】同じく視点を変えた要部の斜視図である。
【図１６】本体ホルダの仰視斜視図である。
【図１７】同じく底面図である。
【図１８】図１７のＤ−Ｄ断面図である。
【図１９】図１７のＥ−Ｅ断面図である。
【図２０】スライドカバユニットのシャッタホルダを示す斜視図である。
【図２１】同じく平面図である。
【図２２】同じく正面図である。
【図２３】同じく側面図である。
【図２４】図２１のＦ−Ｆ断面図である。
【図２５】スライドカバユニットのコネクタの俯瞰斜視図である。
【図２６】同じく仰視斜視図である。
【図２７】同じく平面図である。
【図２８】同じく正面図である。
【図２９】図２７のＧ−Ｇ断面図である。
【図３０】図２７のＨ−Ｈ断面図である。
【図３１】スライドカバユニットのスライドの斜視図である。
【図３２】同じく平面図である。
【図３３】同じく底面図である。
【図３４】図３２のＩ−Ｉ断面図である。
【図３５】図３２のＪ−Ｊ断面図である。
【図３６】シャッタの斜視図である。
【図３７】同じく断面図である。
【発明を実施するための形態】
【００１４】
次に、本発明の好ましい実施形態を図に基づいて詳細に説明する。
１は印判である。印判１は図５に示されるように、外筒２ａと内筒２ｂからなる本体ホルダ２と、本体ホルダ２の内筒２ｂに嵌着される印判本体３と、本体ホルダ２にロック機構４を介してスライドとロックを自在とされる印面被套用のスライドカバユニット５と、スライドカバユニット５を復帰方向に付勢する復帰ばね６とからなる。なお、スライドカバユニット５はシャッタホルダ８とスライド９とコネクタ１０とからなる。
【００１５】
本体ホルダ２は図５，６に示されるように、外筒２ａと内筒２ｂ間にスライドカバユニット５の内鍔を嵌挿できる間隙２ｃをもたせるとともに、図１７，１８，１９に示されるように、内筒２ｂに縦スリット２ｄにより４つに分割される複数の弾性係止片２０を形成したもので、図１８に示されるように、縦スリット２ｄの向き合う端縁に外向き突起部２０ａを１８０°間隔で上下に設けてその中間に係止溝２０ｂを形成したものである。２ｅは縦スリット２ｄに続いて形成される係止縦溝であり、該係止縦溝２ｅは横断面を弧状として印判本体３の４本の縦隆条３ａのうち２本を係止するもので、印判本体３の残りの２本は縦スリット２ｄに係止されて印判本体３を内筒２ｂに回り止めする。
【００１６】
２ｆは内筒２に形成されるストッパ隆条であり、該ストッパ隆条２ｆは図１０に示されるように、後記するスライドカバユニット５のスライド９の内鍔９ａに形成される弧状切欠９ｂに係合され、本体ホルダ２に対してスライドカバユニット５の回動角を規制するものである。このストッパ隆条２ｆにより本体ホルダ２とスライドカバユニット５とが相対的に９０°回動できるようになっている。
【００１７】
２ｇは内筒２ｂの外面に１８０°間隔で形成された抜止めストッパ部であり、該抜止めストッパ部２ｇは図５，１０，１３に示されるように、スライド９に形成された弧状切欠９ｂと小切欠９ｃと係脱自在としている。
【００１８】
２ｈは図１６，１７，１８に示されるように、外筒２ａに形成される表示部ガイド切欠であり、該表示部ガイド切欠２ｈは後記するシャッタ機構７の表示部７ａを係合させるもので、図１０，１３に示されるように、該表示部７ａと表示部ガイド切欠２ｈの位置の一致または不一致により本体ホルダ２とスライドカバユニット５がロックされているかアンロックとなっているかを目視確認できる表示機構１１を構成している。また、表示機構１１は本体ホルダ２とスライドカバユニット５のロックとアンロックを行う副ロック機構を備えている。
【００１９】
印判本体３は図５に示されるように、内筒２ｂの内径と等しい略直筒状とし、その外周面には内筒２ｂに形成される係止縦溝２ｅに係止される複数の縦隆条３ａが形成されている。３０は印判本体３の先端に受金３１をもって取り付けられる多孔性印材、３２は印判本体３の先端凹段部に嵌合されるインキ吸蔵体であり、該インキ吸蔵体３２の先端面は前記多孔性印材３０の後端面と接触して多孔性印材３０にインキを補給するものである。印判本体３を内筒２ｂに嵌着することにより、弾性係止片２０は弾発しなくなるのでスライドカバユニット５は内筒２ｂに堅固に嵌着される。
【００２０】
本体ホルダ２とスライドカバユニット５のスライド９をロック及びアンロックするロック機構４は図１０，１３に示されるように、スライドカバユニット５のスライド９の内鍔９ａに形成された弧状切欠９ｂと小切欠９ｃ及びコネクタ１０の切欠１０ｅとを組み合わせた複合切欠と、内筒２ｂの抜止めストッパ部２ｇ及び、図１１〜１５に示されるように、内筒２ｂに形成される弾性係止片２０の係止溝２０ｂと該係止溝２０ｂと係止されるコネクタ１０の内鍔１０ｄと、該内鍔１０ｄに形成される係止溝２０ｂ通過用の切欠１０ｅとからなる。
【００２１】
このようなロック機構４はスライド９の内鍔９ａに形成された弧状切欠９ｂと小切欠９ｃと内筒２ｂの抜止めストッパ部２ｇとを一致させるとともに、内筒２ｂに形成される弾性係止片２０の係止溝２０ｂとコネクタ１０の内鍔１０ｄに形成される切欠１０ｅとを一致させることにより、捺印可能なスライド状態となる。また、この状態で内筒２ｂからスライドカバユニット５の着脱が可能となるため、印判本体３の交換やインキ補給が可能となる。このとき後記する表示機構１１としてのシャッタ機構７の表示部７ａと外筒２ａの表示部ガイド切欠２ｈも一致するので、副ロック機能も解除されて捺印操作が可能となる。
【００２２】
スライドカバユニット５のシャッタホルダ８は図２０，２１，２２，２３，２４に示されるように、下端フランジ部を形成した筒部８ａと、該筒部８ａの上端に形成される小径の弧状短片部８ｂとからなる。筒部８ａには切欠８ｃが形成されていてこの切欠８ｃは図３６，３７に示されるシャッタ機構７の表示部７ａを嵌合させるものであり、また、前記した弧状短片部８ｂにはコネクタ１０の内面に形成された係止突起１０ｇを係止させる係止凹部８ｄが形成されていてコネクタ１０とシャッタホルダ８とは一体化される。
【００２３】
また、スライドカバユニット５のスライド９は、筒状の上端に内鍔９ａを形成したもので、該内鍔９ａには内筒５ｂを９０°回動させる弧状切欠９ｂと小切欠９ｃとが形成されている。弧状切欠９ｂは図３１，３２に示されるように、９０°の開きを持つもので、両端の手前に弧状の膨出部９ｅを形成して内筒２ｂを回動させた際、膨出部９ｅにより節度感を与えて９０°回動したことを使用者が分かるようにして、過剰な回動により破損されることを防止している。
【００２４】
さらに、スライドカバユニット５のコネクタ１０は図２５〜３０に示されるように、下部の大径短筒部１０ａと上部のスライダ８嵌合用の小径筒部１０ｂとからなり、大径短筒部１０ａに、シャッタ機構７の表示部７ａと内側の左右係止片７ｃとの連繋片７ｄを係合させる縦スリット１０ｃを設けるとともに、小径筒部１０ｂの上端に形成される内鍔１０ｄに外向き突起部２０ａを通過させる切欠１０ｅを形成し、さらに、小径筒部１０ｂの下部外周面にスライド９の横溝９ｄと係合する横隆起１０ｆを１８０°間隔で形成したものである。なお、７ｄはスライドカバユニット５内を封鎖するシャッタ機構７のシャッタ羽根である。
【００２５】
また、復帰ばね６は図５，６に示されるように、下端をスライドカバユニット５のスライド９に当接させ、上端を本体ホルダ２の外筒２ａと内筒２ｂとの間隙２ｃ上端に当接させたものである。
【００２６】
このような印判１の組み立ては、本体ホルダ２にスライド９を嵌合したのち印判本体３を本体ホルダ２に嵌合したうえ、シャッタ機構７をコネクタ１０に嵌着し、次に、シャッタホルダ８をコネクタ１０に嵌合し、スライド９にコネクタ１０を嵌合するという簡単な組み立て作業で完成できる。
【００２７】
このように構成されたものは、捺印を行う際、表示機構１１としての表示部７ａと外筒２ａの表示部ガイド切欠２ｈの位置とを確認し、表示部７ａと外筒２ｂの表示部ガイド切欠２ｈとが一致していれば、表示機構１１の副ロック機構は勿論、本体のロック機構４もアンロック状態に解除されているので、スライドカバユニット５のシャッタホルダ７の下端を捺印面に合わせて本体ホルダ２を押せば、スライドカバユニット５は外筒２ａと内筒２ｂとの間隙２ｃ内に収納されることとなる。
【００２８】
このスライドカバユニット５の収納により、シャッタ機構７のシャッタ羽根７ｄは印判本体３に押されて開かれるので、印判本体３の印面は捺印面に当接されて捺印が行なわれることとなる。
【００２９】
また、表示機構１１として表示部７ａと外筒２ａの表示部ガイド切欠２ｈの位置が一致していなければ、本体ホルダ２とスライドカバユニット５はロックされて捺印スライドができない状態となっているので、ポケットに入れて携行しても本体ホルダ２はスライドカバユニット５に対してロックされているので、印面が露呈して衣服を汚損させることがない。
【００３０】
ロック状態から捺印可能な状態に切換える場合は、本体ホルダ２とスライドカバユニット５とを相対的に９０°回動させて、表示機構７の表示部７ａと外筒２ａの表示部ガイド切欠２ｈを合わせれば、スライド９の弧状切欠９ｂと小切欠９ｃは内筒２ｂの抜止めストッパ部２ｇとは一致し、また、コネクタ１０の切欠１０ｅと内筒２ｂの外向き突起部２０ａは一致するので、スライドカバユニット５はスライド可能な状態となるので、前記同様本体ホルダ２を押し下げれば捺印が行われる。
【符号の説明】
【００３１】
１  印判
２  本体ホルダ
2a  外筒
2b  内筒
2c  間隙
2d  縦スリット
2e  係止縦溝
2f  ストッパ隆条
2g  抜止めストッパ部
2h  表示部ガイド切欠
20  弾性係止片
20a   外向き突起部
20b   係止溝
３  印判本体
3a  縦隆条
30  多孔性印材
31  受金
32  インキ吸蔵体
33  環状隆起
４  ロック機構
５  スライドカバユニット
６  復帰ばね
７  シャッタ機構
7a  表示部
7b  係止片
7c  連繋片
7d  シャッタ羽根
8   シャッタホルダ
8a  筒部
8b  弧状短片部
8c  切欠
8d  係止凹部
9   スライド
9a  内鍔
9b  弧状切欠
9c  小切欠
9d  横溝
9e  膨出部
10  コネクタ
10a   大径短筒部
10b   小径筒部
10c   縦スリット
10d   内鍔
10e   切欠
10f   横隆起
10g   係止突起
11  表示機構
【図１】
0005845992.tif 000002
【図２】
0005845992.tif 000003
【図３】
0005845992.tif 000004
【図４】
0005845992.tif 000005
【図５】
0005845992.tif 000006
【図６】
0005845992.tif 000007
【図７】
0005845992.tif 000008
【図８】
0005845992.tif 000009
【図９】
0005845992.tif 000010
【図１０】
0005845992.tif 000011
【図１１】
0005845992.tif 000012
【図１２】
0005845992.tif 000013
【図１３】
0005845992.tif 000014
【図１４】
0005845992.tif 000015
【図１５】
0005845992.tif 000016
【図１６】
0005845992.tif 000017
【図１７】
0005845992.tif 000018
【図１８】
0005845992.tif 000019
【図１９】
0005845992.tif 000020
【図２０】
0005845992.tif 000021
【図２１】
0005845992.tif 000022
【図２２】
0005845992.tif 000023
【図２３】
0005845992.tif 000024
【図２４】
0005845992.tif 000025
【図２５】
0005845992.tif 000026
【図２６】
0005845992.tif 000027
【図２７】
0005845992.tif 000028
【図２８】
0005845992.tif 000029
【図２９】
0005845992.tif 000030
【図３０】
0005845992.tif 000031
【図３１】
0005845992.tif 000032
【図３２】
0005845992.tif 000033
【図３３】
0005845992.tif 000034
【図３４】
0005845992.tif 000035
【図３５】
0005845992.tif 000036
【図３６】
0005845992.tif 000037
【図３７】
0005845992.tif 000038